(57)【特許請求の範囲】
【請求項１】
再生可能エネルギーによって電力を発電する発電設備と蓄電池システムとが接続された発電システムにおける蓄電池の運用をシミュレーションする運用シミュレーション装置であって、
前記発電設備が発電する発電電力を示す電力データを入力する入力部と、
前記蓄電池の変更にかかるコストを示すコスト条件、前記蓄電池を運用する複数の温度条件、及び制約条件を設定する設定部と、
シミュレーションを行う期間であるシミュレーション期間と、前記制約条件を満たす前記蓄電池の設置数と、前記制約条件を満たす前記蓄電池の撤去数と、前記複数の温度条件から設定した設定温度条件とを設定するパラメータ設定部と、
前記設定温度条件、前記蓄電池が充電できる容量に対する前記蓄電池に充電される電力の充電量の割合を示す充電率、並びに前記充電量及び前記蓄電池から放電される電力の放電量に基づくサイクル数に基づいて、前記蓄電池の劣化率を計算する劣化率計算部と、
前記劣化率と、前記設置数と、前記撤去数とに基づいて蓄電池の設備容量から劣化して充電できない容量を除いた実質容量を算出する実質容量算出部と、
前記電力データと、前記実質容量とに基づいて前記蓄電池の運用シミュレーションを行い、前記発電システムにおける出力電力が前記制約条件を満たさない場合には、前記パラメータ設定部が、前記設置数、前記撤去数、及び、前記設定温度条件を変更して蓄電池の運用シミュレーションを行い、
前記出力電力が前記制約条件を満たす場合には、前記パラメータ設定部で設定された前記設定温度条件に基づく温度管理費、並びに、前記パラメータ設定部で設定された前記設置数及び前記撤去数に基づく設備費から運用にかかるコストを計算するコスト計算部と
を含む運用シミュレーション装置。
【請求項２】
前記発電電力が風力発電による電力である場合、前記電力データは、風速又は前記風速によって発電される電力を示すデータを含む請求項１に記載の運用シミュレーション装置。
【請求項３】
前記温度管理費は、前記温度条件によって定まる所定の温度以下又は所定の温度範囲となるように、前記蓄電池又は前記蓄電池の周囲を冷却又は暖房する光熱費を含む請求項１又は２に記載の運用シミュレーション装置。
【請求項４】
前記コスト計算部は、前記蓄電池が設置される数量と、前記蓄電池を変更する時期と、前記コスト条件とに基づいて前記設備費を計算する請求項１乃至３のいずれか一項に記載の運用シミュレーション装置。
【請求項５】
前記劣化率計算部は、前記放電及び前記充電を行った回数に基づいて前記サイクル数を計算する請求項１乃至４のいずれか一項に記載の運用シミュレーション装置。
【請求項６】
前記コスト条件は、前記変更を行う時期ごとの前記蓄電池の価格を示す請求項４又は５に記載の運用シミュレーション装置。
【請求項７】
前記制約条件は、前記発電電力及び前記放電される電力を合わせた出力電力の変動幅に係る制約を示す条件を含む請求項１乃至６のいずれか一項に記載の運用シミュレーション装置。
【請求項８】
前記劣化率は、前記蓄電池の種類、特性、及び運用される温度によって決まる係数、前記充電率ごとの時間経過、前記充電及び前記放電のサイクルによって決まる係数、並びに前記サイクル数に基づいて計算される請求項１乃至７のいずれか一項に記載の運用シミュレーション装置。
【請求項９】
前記温度条件は、前記蓄電池又は前記蓄電池の周囲を冷却する条件である請求項１乃至８のいずれか一項に記載の運用シミュレーション装置。
【請求項１０】
再生可能エネルギーによって電力を発電する発電設備と蓄電池システムとが接続された発電システムにおける蓄電池の運用をシミュレーションする運用シミュレーション装置を含む１以上の情報処理装置を有する運用シミュレーションシステムであって、
前記発電設備が発電する発電電力を示す電力データを入力する入力部と、
前記蓄電池の変更にかかるコストを示すコスト条件、前記蓄電池を運用する複数の温度条件、及び制約条件を設定する設定部と、
シミュレーションを行う期間であるシミュレーション期間と、前記制約条件を満たす前記蓄電池の設置数と、前記制約条件を満たす前記蓄電池の撤去数と、前記複数の温度条件から設定した設定温度条件とを設定するパラメータ設定部と、
前記設定温度条件、前記蓄電池が充電できる容量に対する前記蓄電池に充電される電力の充電量の割合を示す充電率、並びに前記充電量及び前記蓄電池から放電される電力の放電量に基づくサイクル数に基づいて、前記蓄電池の劣化率を計算する劣化率計算部と、
前記劣化率と、前記設置数と、前記撤去数とに基づいて蓄電池の設備容量から劣化して充電できない容量を除いた実質容量を算出する実質容量算出部と、
前記電力データと、前記実質容量とに基づいて前記蓄電池の運用シミュレーションを行い、前記発電システムにおける出力電力が前記制約条件を満たさない場合には、前記パラメータ設定部が、前記設置数、前記撤去数、及び、前記設定温度条件を変更して蓄電池の運用シミュレーションを行い、
前記出力電力が前記制約条件を満たす場合には、前記パラメータ設定部で設定された前記設定温度条件に基づく温度管理費、並びに、前記パラメータ設定部で設定された前記設置数及び前記撤去数に基づく設備費から運用にかかるコストを計算するコスト計算部と
を含む運用シミュレーションシステム。
【請求項１１】
再生可能エネルギーによって電力を発電する発電設備と蓄電池システムとが接続された発電システムにおける蓄電池の運用をシミュレーションする運用シミュレーション装置が行う発電機用の蓄電池設備のシミュレーション方法であって、
前記運用シミュレーション装置が、前記発電設備が発電する発電電力を示す電力データを入力する入力手順と、
前記運用シミュレーション装置が、前記蓄電池の変更にかかるコストを示すコスト条件、前記蓄電池を運用する複数の温度条件、及び制約条件を設定する設定手順と、
前記運用シミュレーション装置が、シミュレーションを行う期間であるシミュレーション期間と、前記制約条件を満たす前記蓄電池の設置数と、前記制約条件を満たす前記蓄電池の撤去数と、前記複数の温度条件から設定した設定温度条件とを設定するパラメータ設定手順と、
前記運用シミュレーション装置が、前記設定温度条件、前記蓄電池が充電できる容量に対する前記蓄電池に充電される電力の充電量の割合を示す充電率、並びに前記充電量及び前記蓄電池から放電される電力の放電量に基づくサイクル数に基づいて、前記蓄電池の劣化率を計算する劣化率計算手順と、
前記運用シミュレーション装置が、前記劣化率と、前記設置数と、前記撤去数とに基づいて蓄電池の設備容量から劣化して充電できない容量を除いた実質容量を算出する実質容量算出手順と、
前記運用シミュレーション装置が、前記電力データと、前記実質容量とに基づいて前記蓄電池の運用シミュレーションを行い、前記発電システムにおける出力電力が前記制約条件を満たさない場合には、前記パラメータ設定手順で、前記設置数、前記撤去数、及び、前記設定温度条件を変更して蓄電池の運用シミュレーションを行い、
前記出力電力が前記制約条件を満たす場合には、前記パラメータ設定手順で設定された前記設定温度条件に基づく温度管理費、並びに、前記パラメータ設定手順で設定された前記設置数及び前記撤去数に基づく設備費から運用にかかるコストを計算するコスト計算手順と
を含む発電機用の蓄電池設備のシミュレーション方法。
【請求項１２】
再生可能エネルギーによって電力を発電する発電設備と蓄電池システムとが接続された発電システムにおける蓄電池の運用をシミュレーションするコンピュータに発電機用の蓄電池設備のシミュレーションを実行させるためのプログラムであって、
前記コンピュータが、前記発電設備が発電する発電電力を示す電力データを入力する入力手順と、
前記コンピュータが、前記蓄電池の変更にかかるコストを示すコスト条件、前記蓄電池を運用する複数の温度条件、及び制約条件を設定する設定手順と、
前記コンピュータが、シミュレーションを行う期間であるシミュレーション期間と、前記制約条件を満たす前記蓄電池の設置数と、前記制約条件を満たす前記蓄電池の撤去数と、前記複数の温度条件から設定した設定温度条件とを設定するパラメータ設定手順と、
前記コンピュータが、前記設定温度条件、前記蓄電池が充電できる容量に対する前記蓄電池に充電される電力の充電量の割合を示す充電率、並びに前記充電量及び前記蓄電池から放電される電力の放電量に基づくサイクル数に基づいて、前記蓄電池の劣化率を計算する劣化率計算手順と、
前記コンピュータが、前記劣化率と、前記設置数と、前記撤去数とに基づいて蓄電池の設備容量から劣化して充電できない容量を除いた実質容量を算出する実質容量算出手順と、
前記コンピュータが、前記電力データと、前記実質容量とに基づいて前記蓄電池の運用シミュレーションを行い、前記発電システムにおける出力電力が前記制約条件を満たさない場合には、前記パラメータ設定手順で、前記設置数、前記撤去数、及び、前記設定温度条件を変更して蓄電池の運用シミュレーションを行い、
前記出力電力が前記制約条件を満たす場合には、前記パラメータ設定手順で設定された前記設定温度条件に基づく温度管理費、並びに、前記パラメータ設定手順で設定された前記設置数及び前記撤去数に基づく設備費から運用にかかるコストを計算するコスト計算手順と
を実行させるためのプログラム。
【発明の詳細な説明】
【技術分野】
【０００１】
本発明は、運用シミュレーション装置、運用シミュレーションシステム、発電機用の蓄電池設備のシミュレーション方法、及びプログラムに関する。
【背景技術】
【０００２】
風力によって発電を行う風力発電機が知られている。
【０００３】
また、風力発電機に対して併設され、発電される電力を平準化させる蓄電池設備において、設備コストが最小となるように、蓄電池の容量を算出する方法がある。この方法において、例えば、特許文献１では、風力発電機によって発電される電力の変動を平準化することを制約条件として、制御器パラメータを設定された範囲内で変化させ、設備コストが最小となる蓄電池の容量、インバータ容量、及び制御器パラメータを求める方法が開示されている。
【先行技術文献】
【特許文献】
【０００４】
【特許文献１】特開２００９−６５７８７号公報
【発明の概要】
【発明が解決しようとする課題】
【０００５】
しかしながら、蓄電池が充電及び放電を繰り返し行うこと並びに時間経過により、蓄電池は、劣化し、蓄電池の劣化によって、使用できる蓄電池の容量が減少する。そのため、特許文献１の方法では、例えば、蓄電池設備の運用後に、蓄電池が劣化すると、電力の変動を平準化するための制約条件を満たせなくなる場合がある。そのため、制約条件を満たすための蓄電池の変更等が考慮されないので、変更によるコスト等が計算されない場合が多い。ゆえに、発電機用の蓄電池設備のシミュレーションにおいて、精度良くコストが計算できない問題が起こるおそれがある。
【０００６】
本発明の１つの側面は、このような問題にかんがみてなされたものであり、発電機用の蓄電池設備のシミュレーションにおいて、精度良くコストを計算することを目的とする。
【課題を解決するための手段】
【０００７】
上述した課題を解決し、目的を達成するため、本発明の一実施形態における、再生可能エネルギーによって電力を発電する発電設備と蓄電池システムとが接続された発電システムにおける蓄電池の運用をシミュレーションする運用シミュレーション装置は、前記発電設備が発電する発電電力を示す電力データを入力する入力部と、前記蓄電池の変更にかかるコストを示すコスト条件、前記蓄電池を運用する複数の温度条件、及び制約条件を設定する設定部と、シミュレーションを行う期間であるシミュレーション期間と、前記制約条件を満たす前記蓄電池の設置数と、前記制約条件を満たす前記蓄電池の撤去数と、前記複数の温度条件から設定した設定温度条件とを設定するパラメータ設定部と、前記設定温度条件、前記蓄電池が充電できる容量に対する前記蓄電池に充電される電力の充電量の割合を示す充電率、並びに前記充電量及び前記蓄電池から放電される電力の放電量に基づくサイクル数に基づいて、前記蓄電池の劣化率を計算する劣化率計算部と、前記劣化率と、前記設置数と、前記撤去数とに基づいて蓄電池の設備容量から劣化して充電できない容量を除いた実質容量を算出する実質容量算出部と、前記電力データと、前記実質容量とに基づいて前記蓄電池の運用シミュレーションを行い、前記発電システムにおける出力電力が前記制約条件を満たさない場合には、前記パラメータ設定部が、前記設置数、前記撤去数、及び、前記設定温度条件を変更して蓄電池の運用シミュレーションを行い、前記出力電力が前記制約条件を満たす場合には、前記パラメータ設定部で設定された前記設定温度条件に基づく温度管理費、並びに、前記パラメータ設定部で設定された前記設置数及び前記撤去数に基づく設備費から運用にかかるコストを計算するコスト計算部とを含む。
【発明の効果】
【０００８】
本発明によれば、発電機用の蓄電池設備のシミュレーションにおいて、精度良くコストを計算できる。
【図面の簡単な説明】
【０００９】
【図１】本発明の一実施形態における運用シミュレーション装置のハードウェア構成の一例を示すブロック図。
【図２】本発明の一実施形態における運用シミュレーション装置の機能構成の一例を示す機能ブロック図。
【図３】本発明の一実施形態における運用シミュレーションモデルの一例を示すブロック図。
【図４】本発明の一実施形態における運用シミュレーション装置による全体処理の一例を示すフローチャート。
【図５】本発明の一実施形態における蓄電池条件を入力する入力データの一例を示す表。
【図６】本発明の一実施形態における温度の管理にかかるコストを入力する入力データの一例を示す表。
【図７】本発明の一実施形態における蓄電池の価格を入力する入力データの一例を示す表。
【図８】本発明の一実施形態における発電電力を入力する入力データの一例を示す表。
【図９】本発明の一実施形態における運用シミュレーション装置に制約条件を入力する入力データの一例を示す表。
【図１０】本発明の一実施形態における運用シミュレーション装置に温度条件を入力する入力データの一例を示す表。
【図１１】本発明の一実施形態における運用シミュレーション装置に蓄電池の変更にかかるコスト条件を入力する入力データの一例を示す表。
【図１２】本発明の一実施形態における運用シミュレーション装置に入力される電力データの一例を示す表。
【図１３】本発明の一実施形態における運用シミュレーション装置に設定されるパラメータの一例を示す表。
【図１４】本発明の一実施形態における運用シミュレーション装置に設定される蓄電池の容量に係るパラメータの一例を示す表。
【図１５】本発明の一実施形態における運用シミュレーション装置によって計算される設備費の一例を示す表。
【図１６】本発明の一実施形態における運用シミュレーション装置に設定されるパラメータの設定例を示す表。
【図１７】本発明の一実施形態における運用シミュレーション装置に設定される蓄電池の容量に係るパラメータの設定例を示す表。
【図１８】本発明の一実施形態における運用シミュレーション装置によって計算される設備費の計算結果例を示す表。
【図１９】本発明の一実施形態における運用シミュレーション装置によるシミュレーションモデルに基づくシミュレーションの実行例を示すフローチャート。
【図２０】本発明の一実施形態における運用シミュレーション装置によるシミュレーション結果の一例を示す表。
【図２１】本発明の一実施形態における運用シミュレーション装置による蓄電池に係る算出結果の一例を示す表。
【図２２】本発明の一実施形態における運用シミュレーション装置による温度管理費に係る算出結果の一例を示す表。
【図２３】本発明の一実施形態における運用シミュレーション装置によるシミュレーション結果の算出結果例を示す表。
【図２４】本発明の一実施形態における運用シミュレーション装置による蓄電池に係る算出結果の算出例を示す表。
【図２５】本発明の一実施形態における運用シミュレーション装置による温度管理費に係る算出結果の算出例を示す表。
【図２６】本発明の一実施形態における運用シミュレーション装置による評価値の一例を示す表。
【図２７】本発明の一実施形態における運用シミュレーション装置によるシミュレーションの運用パターンの一例を示す図。
【図２８】本発明の一実施形態における運用シミュレーション装置による評価値の算出例を示す表。
【図２９】本発明の一実施形態における時間経過に伴う劣化率の変化の一例を示す図。
【発明を実施するための形態】
【００１０】
以下、本発明の実施形態を図面に基づいて説明する。
【００１１】
１．運用シミュレーション装置のハードウェア構成例
２．運用シミュレーション装置の機能構成例
３．運用シミュレーションモデル例
４．全体処理例
【００１２】
≪  １．  運用シミュレーション装置のハードウェア構成例  ≫
図１は、本発明の一実施形態における運用シミュレーション装置のハードウェア構成の一例を示すブロック図である。具体的には、運用シミュレーション装置１０は、例えば、ＰＣ（Ｐｅｒｓｏｎａｌ  Ｃｏｍｐｕｔｅｒ）、ワークステーション、タブレット、モバイルＰＣ、又はサーバ等の情報処理装置、即ち、コンピュータであり、運用シミュレーション装置１０は、ＣＰＵ（Ｃｅｎｔｒａｌ  Ｐｒｏｃｅｓｓｉｎｇ  Ｕｎｉｔ）１０１と、記憶装置１０２と、ネットワークＩ／Ｆ（ｉｎｔｅｒｆａｃｅ）１０３と、入力Ｉ／Ｆ１０４と、出力Ｉ／Ｆ１０５とを有する。
【００１３】
ＣＰＵ１０１は、運用シミュレーション装置１０が行う各種処理及び各種制御を実現するための演算と各種データの加工とを行う演算装置である。さらに、ＣＰＵ１０１は、運用シミュレーション装置１０が有するハードウェアを制御する制御装置である。
【００１４】
記憶装置１０２は、運用シミュレーション装置１０が使うデータ、プログラム、及び設定値等を記憶する。また、記憶装置１０２は、いわゆるメモリ（ｍｅｍｏｒｙ）等である。なお、記憶装置１０２は、ハードディスク（ｈａｒｄｄｉｓｋ）等を含む補助記憶装置等を更に有してもよい。
【００１５】
ネットワークＩ／Ｆ１０３は、ＬＡＮ（Ｌｏｃａｌ  Ａｒｅａ  Ｎｅｔｗｏｒｋ）等のネットワークを介して接続される装置と各種データ等を送受信する。例えば、ネットワークＩ／Ｆ１０３は、ＮＩＣ（Ｎｅｔｗｏｒｋ  Ｉｎｔｅｒｆａｃｅ  Ｃｏｎｔｒｏｌｌｅｒ）及びＬＡＮケーブルを接続させるコネクタ等である。
【００１６】
入力Ｉ／Ｆ１０４は、運用シミュレーション装置１０を使うユーザ等とのインタフェースである。具体的には、入力Ｉ／Ｆ１０４は、ユーザ等が行う各種操作を入力する。例えば、入力Ｉ／Ｆ１０４は、キーボード等の入力装置及び入力装置を運用シミュレーション装置１０に接続させるコネクタ等によって構成される。また、入力Ｉ／Ｆ１０４は、各種記録媒体を運用シミュレーション装置１０に接続させ、記録媒体から各種データを入力してもよい。
【００１７】
出力Ｉ／Ｆ１０５は、運用シミュレーション装置１０を使うユーザ等とのインタフェースである。具体的には、出力Ｉ／Ｆ１０５は、運用シミュレーション装置１０が行う各種処理の処理結果等をユーザ等に出力する。例えば、出力Ｉ／Ｆ１０５は、ディスプレイ（ｄｉｓｐｌａｙ）等の出力装置及び出力装置を運用シミュレーション装置１０に接続させるコネクタ等である。
【００１８】
なお、運用シミュレーション装置１０は、各ハードウェア資源を補助する補助装置を更に有する構成でもよい。また、運用シミュレーション装置１０は、各種処理を並列、冗長、又は分散して処理するための装置を内部又は外部に有してもよい。さらに、運用シミュレーション装置１０は、複数の情報処理装置で構成されてもよい。
【００１９】
≪  ２．  運用シミュレーション装置の機能構成例  ≫
図２は、本発明の一実施形態における運用シミュレーション装置の機能構成の一例を示す機能ブロック図である。図示するように、運用シミュレーション装置１０は、入力部１１０と、記憶部１１１と、シミュレーション部１１２と、蓄電池設定部１１３と、劣化率計算部１１４と、コスト計算部１１５と、容量計算部１１６とを含む。
【００２０】
入力部１１０は、入力データ等の各種データをユーザの操作等に基づいて入力する。なお、入力部１１０は、例えば入力Ｉ／Ｆ１０４（図１参照）等によって実現される。
【００２１】
記憶部１１１は、運用シミュレーション装置１０に入力されたデータ及び運用シミュレーション装置１０が計算した計算結果等を記憶する。なお、記憶部１１１は、例えば記憶装置１０２（図１参照）等によって実現される。
【００２２】
シミュレーション部１１２は、再生可能エネルギーによる発電を行う発電設備と、発電設備が発電する電力を充電し、かつ、電力を放電する蓄電池とを含むシミュレーションモデルに基づいてシミュレーションを行う。なお、シミュレーション部１１２は、例えばＣＰＵ１０１（図１参照）等によって実現される。
【００２３】
蓄電池設定部１１３は、各種条件及びパラメータ等を設定する。なお、蓄電池設定部１１３は、例えばＣＰＵ１０１等によって実現される。
【００２４】
劣化率計算部１１４は、設定される温度条件、蓄電池が充電できる容量に対する蓄電池に充電される電力の充電量の割合を示す充電率、並びに充電量及び蓄電池からの放電によって放電される電力の放電量に基づいて計算されるサイクル数に基づいて、蓄電池の劣化率を計算する。なお、劣化率計算部１１４は、例えばＣＰＵ１０１等によって実現される。
【００２５】
コスト計算部１１５は、設定される温度条件を満たす温度管理にかかる温度管理費及びコスト条件に基づいて計算される設備費に基づいて、設定される制約条件を満たす運用にかかるコストを計算する。なお、コスト計算部１１５は、例えばＣＰＵ１０１等によって実現される。
【００２６】
容量計算部１１６は、各運用において、各運用パターンを満たす蓄電池の容量等を計算する。なお、容量計算部１１６は、例えばＣＰＵ１０１等によって実現される。
【００２７】
≪  ３．  運用シミュレーションモデル例  ≫
図３は、本発明の一実施形態における運用シミュレーションモデルの一例を示すブロック図である。即ち、図示する運用シミュレーションモデルは、シミュレーション部１１２（図２参照）がシミュレーションするのに用いるシミュレーションモデルの例である。以下、図３に示すシミュレーションモデルＳｉｍ１を例に説明する。
【００２８】
シミュレーションモデルＳｉｍ１では、発電設備Ｓｉｍ２は、風力から発電を行う風力発電設備等のシミュレーションモデルである。発電設備Ｓｉｍ２は、風速に対応して、発電電力Ｐｇを発電する。即ち、発電電力Ｐｇは、発電設備Ｓｉｍ２によって発電される電力であり、発電電力Ｐｇは、風速によって変動するため、図示するように、時間に対して電力が細かく変動する場合が多い。また、シミュレーションモデルＳｉｍ１では、発電設備Ｓｉｍ２には、蓄電池システムＳｉｍ１０が接続される。
【００２９】
なお、発電設備Ｓｉｍ２には、同期発電機（Ｓｙｎｃｈｒｏｎｏｕｓ  Ｇｅｎｅｒａｔｏｒ）、電力変換装置、変圧器、遮断器、及びスイッチ等が含まれてもよい。さらに、発電設備Ｓｉｍ２は、例えば潮力発電又は波力発電等を行う発電設備でもよい。好ましくは、発電設備Ｓｉｍ２は、気象条件等によって、発電する交流電流に係る電力が変動する発電設備が好ましい。つまり、発電設備Ｓｉｍ２は、再生可能エネルギーに係る発電設備であることが好ましい。
【００３０】
蓄電池システムＳｉｍ１０は、制御装置Ｓｉｍ１１と、インバータＳｉｍ１２と、蓄電池Ｓｉｍ１３とを含む。なお、以下の説明では、蓄電池Ｓｉｍ１３は、リチウム（Ｌｉ）イオン電池である例で説明するが、蓄電池の種類は、例えば、鉛蓄電池、ＮＡＳ（登録商標）（ナトリウム・硫黄）電池、ニッケル（Ｎｉ）カドミウム（Ｃｄ）蓄電池、ニッケル水素蓄電池、又はこれらの組み合わせ等でもよい。
【００３１】
制御装置Ｓｉｍ１１は、発電電力Ｐｇを計測する。次に、制御装置Ｓｉｍ１１は、インバータＳｉｍ１２に放電電力Ｐｂａｔを放電させる。図示するように、インバータＳｉｍ１２によって放電される放電電力Ｐｂａｔと、発電電力Ｐｇとが合わさると、出力電力Ｐｓｕｍとなる。制御装置Ｓｉｍ１１は、出力電力Ｐｓｕｍの変動があらかじめ定められる範囲に収まるように、インバータＳｉｍ１２に指令を出して放電電力Ｐｂａｔを制御する。
【００３２】
また、制御装置Ｓｉｍ１１は、インバータＳｉｍ１２及び蓄電池Ｓｉｍ１３の間に流れる直流電流Ｉｂａｔ及び直流電圧Ｅｂａｔを計測する。シミュレーションモデルＳｉｍ１では、直流電流Ｉｂａｔ及び直流電圧Ｅｂａｔの積を計算することで蓄電池Ｓｉｍ１３に充電される電力が計算され、更に電力が時間で積分されると、充電量が計算される。なお、電力の単位は、例えばｋＷ（キロワット）等であり、充電量の単位は、ｋＷｈ（キロワットアワー）等である。また、シミュレーションモデルＳｉｍ１では、１ユニット（ｕｎｉｔ）あたりの充電率は、１ユニットあたりの蓄電池Ｓｉｍ１３が有する設置される容量（以下「設置容量」という。）で、１ユニットあたりの充電量を割ると、計算できる。なお、以下の説明では、充電率は、百分率で示す。
【００３３】
さらに、シミュレーションモデルＳｉｍ１では、蓄電池Ｓｉｍ１３ごとに、それぞれの充電率と、蓄電池Ｓｉｍ１３による充電及び放電に基づいて算出されるそれぞれのサイクル数とに基づいて、劣化率がそれぞれ計算できる。次に、計算される劣化率に基づいて、蓄電池Ｓｉｍ１３が有する設置容量のうち、実際に蓄電池Ｓｉｍ１３が電力を充電できる実質的な容量（以下「実質容量」という。）が計算できる。即ち、蓄電池は、劣化等によって設置容量の一部が電力を充電するのに使用することができない場合が多い。劣化率は、設置容量に対する充電に使用できない容量の割合を示す値である。即ち、実質容量に劣化率を乗じると、充電に使用できない容量が計算できる。また、シミュレーションモデルＳｉｍ１では、計算される実質容量をフィードバックさせて、実質容量に基づいて充電率等が計算できる。
【００３４】
また、シミュレーションモデルＳｉｍ１では、直流電流Ｉｂａｔ及び直流電圧Ｅｂａｔの積を計算することで蓄電池Ｓｉｍ１３が放電する電力が計算され、さらに、電力が時間で積分されると、放電量が計算される。なお、充電の場合と同様に、放電する電力の単位は、ｋＷ等であり、放電量の単位は、ｋＷｈ等である。
【００３５】
なお、シミュレーションモデルＳｉｍ１は、変圧器、ブレーカ等の遮断器、及びスイッチ等を含んでもよい。また、シミュレーションモデルＳｉｍ１は、複数の発電設備を有してもよい。
【００３６】
≪  ４．  全体処理例  ≫
図４は、本発明の一実施形態における運用シミュレーション装置による全体処理の一例を示すフローチャートである。
【００３７】
≪  各種データの入力例（ステップＳ１０）≫
ステップＳ１０では、運用シミュレーション装置は、入力データ等の各種データを入力する。
【００３８】
図５は、本発明の一実施形態における蓄電池条件を入力する入力データの一例を示す表である。図５に示す条件入力テーブルＴａｂｌｅ１には、制約条件等の蓄電池に係る各種条件が「入力項目」として文字列で入力され、入力される「入力項目」対応する「値」が数値で入力される。
【００３９】
図６は、本発明の一実施形態における温度の管理にかかるコストを入力する入力データの一例を示す表である。図６に示す運用コストテーブルＴａｂｌｅ２には、蓄電池の温度を管理するのに必要な温度管理費が入力され、例えば、「蓄電池温度設定」には、蓄電池及び蓄電池の周辺の温度を管理するため、温度のパターンを示す番号が入力される。また、「温度」には、「蓄電池温度設定」に対応する温度条件が文字列で入力される。さらに、「温度管理費」は、「温度」に示す温度条件を満たすように、蓄電池及び蓄電池の周囲の温度を冷却又は暖房等する管理にかかるコストを所定の期間ごとに示す。例えば、コストが年単位で計算される場合、「温度管理費」は、１年間の光熱費を示す。したがって、「温度管理費」は、「蓄電池温度設定」によって定まる温度条件によって異なる場合がある。なお、運用コストテーブルＴａｂｌｅ２に入力される温度管理費は、１年間の光熱費に限られず、設備の運用にかかる電気代及び維持費等の他の経費を含んでもよい。
【００４０】
図７は、本発明の一実施形態における蓄電池の価格を入力する入力データの一例を示す表である。図７に示す単価テーブルＴａｂｌｅ３には、蓄電池の価格が入力され、例えば、年ごとにそれぞれ価格が入力される。具体的には、「年」は、図３に示すシミュレーションモデルＳｉｍ１によって運用が開始されてから経過した年数を示す。また、「単価」は、対応する「年」において価格を示し、蓄電池を追加する変更では、蓄電池を追加するのにかかる設備費を示す。例えば、図示するように、「単価」は、蓄電池を購入するのに必要な設備費を１ｋＷ単位あたりで示す。蓄電池は、年数が経過するに伴って、安くなる場合が多いため、単価テーブルＴａｂｌｅ３は、「年」ごとに変動する蓄電池を追加するのにかかる設備費を計算するのに用いられるコスト条件を示す。なお、「単価」は、蓄電池を購入する設備費に限られず、蓄電池を設置するのにかかる工事費、運搬費、及び作業費等の他の経費を含んでもよい。
【００４１】
図８は、本発明の一実施形態における発電電力を入力する入力データの一例を示す表である。図８に示す電力テーブルＴａｂｌｅ４は、電力データの例であり、電力テーブルＴａｂｌｅ４には、シミュレーションモデルＳｉｍ１（図３参照）によって、所定の時間あたりに発電される発電電力Ｐｇ（図３参照）等をシミュレーションするためのデータが入力される。具体的には、「日時」には、日時を特定する日付及び時刻等が数値で入力される。例えば、「日時」には、１０秒間隔又は１秒間隔の日時等が入力される。また、「風速」は、対応する「日時」に発電設備Ｓｉｍ２（図３参照）に吹き付ける風の速度が数値で入力される。即ち、「風速」に示す風を利用して発電設備Ｓｉｍ２は、発電電力Ｐｇを発電する。そして、「発電電力」は、対応する「日時」に、発電設備Ｓｉｍ２によって発電される発電電力Ｐｇが数値で入力される。なお、電力データは、電力テーブルＴａｂｌｅ４に示す形式で入力されるに限れず、例えば、発電設備Ｓｉｍ２によって発電される発電電力Ｐｇが風速に比例する場合等には、「風速」を示すデータが入力され、所定の時間あたりに発電される発電電力Ｐｇは、風速から計算されてもよい。また、電力テーブルＴａｂｌｅ４は、実測値に基づいて生成されてもよい。即ち、電力テーブルＴａｂｌｅ４には、直接計測された発電電力等が入力されてもよい。
【００４２】
図９は、本発明の一実施形態における運用シミュレーション装置に制約条件を入力する入力データの一例を示す表である。制約条件は、例えば、条件入力テーブルＴａｂｌｅ１（図５参照）によって運用シミュレーション装置に入力される。以下、図９に示す条件入力テーブルＴａｂｌｅ１に入力された制約条件がステップＳ１０（図４参照）で入力された場合のシミュレーションが行われる例で説明する。具体的には、図９で図示するように、条件入力テーブルＴａｂｌｅ１によって、制約条件として、「１ユニットあたりの蓄電池の容量」が「２５０」と入力され、かつ、「蓄電池を設置できる数量」が「４」と入力される例である。即ち、条件入力テーブルＴａｂｌｅ１による制約条件では、蓄電池は、それぞれ「２５０ｋＷｈ」の設置容量であり、蓄電池は、蓄電池が設置される面積等の制約から、最大「４個」まで設置できる条件とする例である。
【００４３】
また、条件入力テーブルＴａｂｌｅ１では、図９で図示するように、出力電力Ｐｓｕｍ（図３参照）の変動幅に係る制約条件として、「出力電力の変動幅」が百分率で入力される例である。なお、出力電力Ｐｓｕｍの変動幅に係る制約条件は、例えば電力会社等が定める規格等によって決まる。出力電力Ｐｓｕｍの変動幅に係る制約条件が入力されると、制約条件によって決まる範囲に出力電力Ｐｓｕｍが収まるように、蓄電池は、制御される。具体的には、「出力電力の変動幅」によって定まる下限以下の電力となる発電電力Ｐｇが発電されると、蓄電池は、放電を行うように制御される。一方、「出力電力の変動幅」によって定まる上限以上の電力となる発電電力Ｐｇが発電されると、蓄電池は、充電を行うように制御される。
【００４４】
図１０は、本発明の一実施形態における運用シミュレーション装置に温度条件を入力する入力データの一例を示す表である。以下、図１０に示す運用コストテーブルＴａｂｌｅ２に入力された温度条件がステップＳ１０で入力された場合のシミュレーションが行われる例で説明する。具体的には、図１０で図示するように、運用コストテーブルＴａｂｌｅ２によって、温度条件として、「蓄電池温度設定」に、「１」乃至「３」の３つのパターンが入力される例である。
【００４５】
図１０に示す運用コストテーブルＴａｂｌｅ２では、「蓄電池温度設定」が「１」のパターンには、「温度」によって蓄電池の温度を「１０℃以下」にして運用する温度条件が入力される例である。つまり、「蓄電池温度設定」が「１」のパターンで運用される場合、蓄電池の温度が「１０℃以下」となるように冷房等によって蓄電池等が冷却される例である。したがって、「蓄電池温度設定」が「１」のパターンでは、運用で冷却の管理が行われるため、管理によって「温度管理費」に示す「８００千円／年」の温度管理費がかかる例である。
【００４６】
また、図１０に示す運用コストテーブルＴａｂｌｅ２では、「蓄電池温度設定」が「２」のパターンには、蓄電池の温度を「２０℃以下」にして運用する温度条件が入力され、さらに、図１０に示す運用コストテーブルＴａｂｌｅ２では、「蓄電池温度設定」が「３」のパターンには、蓄電池の温度を「３０℃以下」にして運用する温度条件が入力される。「蓄電池温度設定」が「１」のパターンと同様に、それぞれのパターンに対応した「温度管理費」がそれぞれ入力される例である。
【００４７】
図１１は、本発明の一実施形態における運用シミュレーション装置に蓄電池の変更にかかるコスト条件を入力する入力データの一例を示す表である。以下、図１１に示す単価テーブルＴａｂｌｅ３に入力された蓄電池の変更にかかるコスト条件がステップＳ１０で入力された場合のシミュレーションが行われる例で説明する。具体的には、図１１で図示するように、単価テーブルＴａｂｌｅ３によって、コスト条件として、１０年間のそれぞれの「年」ごとに、それぞれ「単価」が入力される例である。図１１で図示するように、単価テーブルＴａｂｌｅ３では、運用開始の際は、「２００．０千円／ｋＷｈ」（図１１では、１年目に相当）がかかるコストが、１０年後には、「１０７．５千円／ｋＷｈ」（図１１では、１０年目に相当）まで値下がりする場合の例である。
【００４８】
図１２は、本発明の一実施形態における運用シミュレーション装置に入力される電力データの一例を示す表である。以下、図１２に示す電力テーブルＴａｂｌｅ４に入力された電力データがステップＳ１０で入力された場合のシミュレーションが行われる例で説明する。具体的には、図１２では、電力テーブルＴａｂｌｅ４によって、１０秒ごとの「日時」に対応して「風速」に示す風がそれぞれあり、「風速」に示す風を利用して、「発電電力」に示す発電電力Ｐｇ（図３参照）が発電設備Ｓｉｍ２（図３参照）によってそれぞれ発電される場合の例である。図１２に図示するように、電力テーブルＴａｂｌｅ４には、１０秒間隔で、１年分の電力データが入力される例である。
【００４９】
≪  パラメータの設定例（ステップＳ２０）≫
図４に戻り、ステップＳ２０では、運用シミュレーション装置は、パラメータを設定する。
【００５０】
図１３は、本発明の一実施形態における運用シミュレーション装置に設定されるパラメータの一例を示す表である。図１３に示すパラメータテーブルＴａｂｌｅ５は、運用シミュレーションに用いられるパラメータの例を示す。具体的には、図１３で図示するように、パラメータテーブルＴａｂｌｅ５では、「年」は、シミュレーションにおいて経過する時間を年単位で示す。つまり、この場合、シミュレーションに係る温度条件及び蓄電池の変更等のパラメータは、年単位でそれぞれ入力される。以下、運用シミュレーション装置が、各種パラメータを年単位でそれぞれ設定する場合を例に説明する。
【００５１】
図１３で図示するように、パラメータテーブルＴａｂｌｅ５では、「追加ユニット数」は、対応する「年」に新たに追加される蓄電池の数量を示す。また、「撤去ユニット数」は、設置される蓄電池のうち、対応する「年」に撤去される蓄電池の数量を示す。さらに、「設置ユニット数」は、対応する「年」に使用できる蓄電池の数量を示す。つまり、追加が行われると、蓄電池の数量は、増加し、一方、撤去が行われると、蓄電池の数量は、減少する。また、追加及び撤去による変更の結果は、「設置ユニット数」によって示される。
【００５２】
また、パラメータテーブルＴａｂｌｅ５では、「蓄電池温度設定」は、蓄電池を運用する温度条件を設定するパラメータの例であり、「蓄電池温度設定」に設定される値は、運用コストテーブルＴａｂｌｅ２（図６参照）の「蓄電池温度設定」の値に対応する。
【００５３】
図１４は、本発明の一実施形態における運用シミュレーション装置に設定される蓄電池の容量に係るパラメータの一例を示す表である。図１４に示す容量パラメータテーブルＴａｂｌｅ６は、設定されるパラメータ及びシミュレーション結果に基づいて、蓄電池の容量に係るパラメータの算出結果を示す。具体的には、容量パラメータテーブルＴａｂｌｅ６では、「年」は、シミュレーションにおいて経過する時間を年単位で示し、「年」の値は、パラメータテーブルＴａｂｌｅ５（図１３参照）に示す「年」の値に対応する。
【００５４】
容量パラメータテーブルＴａｂｌｅ６では、「設置容量」は、対応する「年」に追加される設置容量である。具体的には、「設置容量」には、パラメータテーブルＴａｂｌｅ５に「追加ユニット数」と、条件入力テーブルＴａｂｌｅ１（図９参照）に示す「１ユニットあたりの蓄電池の容量」とを乗じた値が入力される。また、「撤去容量」には、撤去される蓄電池に対応する実質容量が入力される。さらに、「実質容量」には、追加及び撤去による蓄電池の数量の変更と、劣化率とに基づいて計算される実質容量が入力される。
【００５５】
図１５は、本発明の一実施形態における運用シミュレーション装置によって計算される設備費の一例を示す表である。図１５に示す設備費計算テーブルＴａｂｌｅ７は、運用シミュレーションによって計算される設備費の計算結果の例を示す。具体的には、設備費計算テーブルＴａｂｌｅ７では、「年」は、シミュレーションにおいて経過する時間を年で示し、「年」の値は、パラメータテーブルＴａｂｌｅ５（図１３参照）に示す「年」の値に対応する。
【００５６】
設備費計算テーブルＴａｂｌｅ７では、「設備費」は、対応する「年」に追加される設置容量と、単価テーブルＴａｂｌｅ３（図１１参照）によって定まる蓄電池の価格等のコスト条件とに基づいて、年ごとにそれぞれ計算される。
【００５７】
図１６は、本発明の一実施形態における運用シミュレーション装置に設定されるパラメータの設定例を示す表である。図１６に示すパラメータテーブルＴａｂｌｅ５には、１０年間の運用をシミュレーションするためのパラメータが設定される例である。具体的には、図１６で図示するように、パラメータテーブルＴａｂｌｅ５は、まず、「１年目」に「４個」の蓄電池が追加される設定である。したがって、「１年目」の「設置ユニット数」は、追加によって「４個」の蓄電池となることを示す。さらに、図１６で図示するように、パラメータテーブルＴａｂｌｅ５は、「蓄電池温度設定」に「１」を設定することで、運用コストテーブルＴａｂｌｅ２（図１０参照）により、「１０℃以下」の温度となるように温度条件が設定される。
【００５８】
また、図１６で図示するように、パラメータテーブルＴａｂｌｅ５は、「７年目」に「４個」の蓄電池のうち、「１個」の蓄電池を撤去し、「１個」の蓄電池を更に追加する変更が設定される。即ち、「７年目」に「４個」の蓄電池のうち、「１個」の蓄電池が劣化の少ない新しい蓄電池に交換される設定である。
【００５９】
さらに、図１６で図示するように、パラメータテーブルＴａｂｌｅ５は、「１年目」から「１０年目」のそれぞれの「蓄電池温度設定」に「１」を設定し、いずれの年も「１０℃以下」の温度となるように温度条件を設定する。したがって、運用コストテーブルＴａｂｌｅ２に基づいて、各年では、それぞれ「８００千円」の温度管理費がかかる。また、パラメータテーブルＴａｂｌｅ５は、「１年目」及び「７年目」に蓄電池を追加する変更がそれぞれ行われるため、各変更によって、それぞれ設備費がかかる。具体的には、「１年目」は、「４個」の蓄電池が追加されるため、条件入力テーブルＴａｂｌｅ１（図９参照）に基づいて、「２５０ｋＷｈ×４個＝１０００ｋＷｈ」の設置容量が追加される。したがって、「１年目」は、単価テーブルＴａｂｌｅ３（図１１参照）に基づいて、「１０００ｋＷｈ×２００．０千円／ｋＷｈ＝２０００００千円」の設備費がかかる。
【００６０】
同様に、「７年目」は、「１個」の蓄電池が追加されるため、「２５０ｋＷｈ×１個＝２５０ｋＷｈ」の設置容量が追加される。したがって、「７年目」は、単価テーブルＴａｂｌｅ３に基づいて、「２５０ｋＷｈ×１３５．３千円／ｋＷｈ＝３３８２５千円」の設備費がかかる。
【００６１】
図１７は、本発明の一実施形態における運用シミュレーション装置に設定される蓄電池の容量に係るパラメータの設定例を示す表である。図１７で図示するように、容量パラメータテーブルＴａｂｌｅ６には、「１年目」の「設置容量」に、「２５０ｋＷｈ×４個＝１０００ｋＷｈ」の設置容量が追加される変更が設定される。一方、「７年目」の「設置容量」に、「２５０ｋＷｈ×１個＝２５０ｋＷｈ」の設置容量が追加される変更が設定される。また、「７年目」では、劣化した「１個」の蓄電池が撤去されるため、「７年目」の「撤去容量」に、「１６８ｋＷｈ」の実質容量が撤去される変更が設定される。
【００６２】
また、「実質容量」には、「設置容量」、「撤去容量」、及び劣化率に基づいて計算される実質容量が設定される。例えば、「１年目」は、蓄電池の初期劣化率を「６％」とすると、「１０００ｋＷｈ×（１．００−０．０６）＝９４０ｋＷｈ」と実質容量が計算され、「９４０ｋＷｈ」が「１年目」の「実質容量」に設定される。即ち、設置容量の「１０００ｋＷｈ」のうち、蓄電池の劣化によって充電できない容量が劣化率によって求められ、設置容量から劣化して充電できない容量を除いた容量が、実質容量として計算される。
【００６３】
同様に、各年では、実質容量が劣化率に基づいてそれぞれ計算される。また、「７年目」のように、追加及び撤去が設定される場合は、それぞれの変更が反映されて、実質容量が計算される。具体的には、「７年目」は、７年経過した場合の劣化率を「３３％」とすると、「１個」の蓄電池に相当する設置容量である「２５０ｋＷｈ」に「１．００−０．３３＝０．６７」を乗じて、「２５０ｋＷｈ×０．６７≒１６８ｋＷｈ」の実質容量が撤去される。即ち、「７年目」に撤去される「１６８ｋＷｈ」の実質容量は、「３３％」の劣化率まで劣化した「１個」の蓄電池に相当する。
【００６４】
図１８は、本発明の一実施形態における運用シミュレーション装置によって計算される設備費の計算結果例を示す表である。図１８で図示するように、設備費計算テーブルＴａｂｌｅ７には、単価テーブルＴａｂｌｅ３（図１１参照）に基づいて年ごとにそれぞれ計算される設備費がそれぞれ設定される。具体的には、「１年目」の「設備費」に、「１０００ｋＷｈ×２００．０千円／ｋＷｈ＝２０００００千円」が設定され、さらに、「７年目」の「設備費」に、「２５０ｋＷｈ×１３５．３千円／ｋＷｈ＝３３８２５千円」がそれぞれ設定される。
【００６５】
≪  シミュレーションの実行例（ステップＳ３０）≫
図４に戻り、ステップＳ３０では、運用シミュレーション装置は、図３に示すシミュレーションモデルＳｉｍ１に基づいてシミュレーションを実行する。
【００６６】
図１９は、本発明の一実施形態における運用シミュレーション装置によるシミュレーションモデルに基づくシミュレーションの実行例を示すフローチャートである。
【００６７】
≪  発電設備モデルに風速を設定する例（ステップＳ３０１）≫
ステップＳ３０１では、運用シミュレーション装置は、電力データに基づいて、発電設備のシミュレーションモデルである発電設備Ｓｉｍ２（図３参照）に風速を設定する。具体的には、運用シミュレーション装置は、電力テーブルＴａｂｌｅ４（図１２参照）の１行目に入力される「風速」である「７．７８ｍ／ｓ」を設定する。
【００６８】
≪  発電設備が発電する発電電力の算出例（ステップＳ３０２）≫
ステップＳ３０２では、運用シミュレーション装置は、設定される風速に基づいて、発電設備Ｓｉｍ２が発電する発電電力Ｐｇ（図３参照）を算出する。具体的には、ステップＳ３０１で設定される風速によって発電設備Ｓｉｍ２が発電する発電電力Ｐｇを算出する。なお、図１２に示す電力テーブルＴａｂｌｅ４の「発電電力」のように、あらかじめ発電電力Ｐｇが算出され、発電電力Ｐｇの値が入力される場合、算出は、省略されて、図１２に示す電力テーブルＴａｂｌｅ４の「発電電力」に入力される値が用いられる。なお、以下の説明では、発電設備Ｓｉｍ２は、１５００ｋＷの定格出力とする例である。
【００６９】
≪  蓄電池システムが放電する放電電力の算出例（ステップＳ３０３）≫
ステップＳ３０３では、運用シミュレーション装置は、蓄電池システムＳｉｍ１０（図３参照）が放電する放電電力Ｐｂａｔ（図３参照）を算出する。蓄電池システムＳｉｍ１０は、制約条件として設定される条件入力テーブルＴａｂｌｅ１（図９参照）の「出力電力の変動幅」を満たすように、放電電力Ｐｂａｔを放電する。具体的には、図９に示す条件入力テーブルＴａｂｌｅ１による制約条件では、発電電力Ｐｇと、放電電力Ｐｂａｔとを合わせると、出力電力Ｐｓｕｍ（図３参照）の変動幅が「１％」以下となるように、蓄電池システムＳｉｍ１０は、放電電力Ｐｂａｔを放電する。なお、実質容量は、図１７に示す容量パラメータテーブルＴａｂｌｅ６の「実質容量」に設定された値を用いる。具体的には、「１年目」は、実質容量は、「９４０ｋＷｈ」が用いられる。
【００７０】
≪  出力電力及び変動幅の算出例（ステップＳ３０４）≫
ステップＳ３０４では、運用シミュレーション装置は、算出される放電電力Ｐｂａｔ及び発電電力Ｐｇに基づいて、出力電力Ｐｓｕｍ（図３参照）及び変動幅をそれぞれ算出する。
【００７１】
図２０は、本発明の一実施形態における運用シミュレーション装置によるシミュレーション結果の一例を示す表である。例えば、ステップＳ３０３及びステップＳ３０４で、運用シミュレーション装置によって算出されるシミュレーション結果は、シミュレーション結果テーブルＴａｂｌｅ８に記憶される。具体的には、シミュレーション結果テーブルＴａｂｌｅ８では、「日時」には、各シミュレーション結果の条件等を特定できる日時を示す数値が記憶される。なお、「日時」は、図１２に示す電力テーブルＴａｂｌｅ４の「日時」に対応する。また、「発電電力」には、ステップＳ３０２で算出される発電電力Ｐｇが記憶される。さらに、「放電電力」には、ステップＳ３０３で算出される放電電力Ｐｂａｔが記憶される。さらにまた、「出力電力」には、発電電力Ｐｇと、放電電力Ｐｂａｔとを合算して求められる出力電力Ｐｓｕｍが記憶される。また、「変動幅」は、算出される出力電力Ｐｓｕｍが時間に対して変動した変化量に基づいて算出された値が記憶される。
【００７２】
≪  充電率及びサイクル数の算出例（ステップＳ３０５）≫
図１９に戻り、ステップＳ３０５では、運用シミュレーション装置は、充電率及びサイクル数をそれぞれ算出する。具体的には、まず、直流電流Ｉｂａｔ（図３参照）及び直流電圧Ｅｂａｔ（図３参照）の積を時間で積分して充電量が求められ、次に、設置容量に対する充電量の割合を算出すると、充電率は、算出される。
【００７３】
また、サイクル数は、例えば、運用シミュレーション装置が充電及び放電を行う回数をそれぞれカウントし、カウントした値に充電又は放電によって変化した充電率の変化量を乗じる等によって求まる値である。例えば、「１回」の放電で、「１００％」の充電率が「３０％」となった場合、変化量は、「１００％−３０％＝７０％＝０．７」である。この例では、サイクル数は、「１回×０．７＝０．７回」と算出される。なお、サイクル数は、他の算出方法によって算出されてもよい。
【００７４】
図２１は、本発明の一実施形態における運用シミュレーション装置による蓄電池に係る算出結果の一例を示す表である。例えば、ステップＳ３０５で、運用シミュレーション装置によって算出される算出結果は、蓄電池管理テーブルＴａｂｌｅ９に記憶される。具体的には、蓄電池管理テーブルＴａｂｌｅ９では、「Ｎｏ」には、蓄電池管理テーブルＴａｂｌｅ９に記憶されるデータを特定する番号を示す数値が記憶される。また、例えば、蓄電池管理テーブルＴａｂｌｅ９が１日ごとに算出結果を記憶する場合、「日時」には、日付を特定する数値が記憶される。さらに、「蓄電池ＩＤ」には、蓄電池システムＳｉｍ１０（図３参照）が複数の蓄電池Ｓｉｍ１３（図３参照）を有する場合又は図１７に示す容量パラメータテーブルＴａｂｌｅ６のように蓄電池の変更が設定される場合、各蓄電池をそれぞれ識別できる識別番号（ＩＤ）等を示す数値が記憶される。さらにまた、「充電率」には、ステップＳ３０５で算出される充電率を示す数値が記憶される。また、「サイクル数」には、ステップＳ３０５で算出されるサイクル数を示す数値が記憶される。
【００７５】
≪  劣化率の計算例（ステップＳ３０６）≫
図１９に戻り、ステップＳ３０６では、運用シミュレーション装置は、劣化率を計算する。劣化率は、例えば、下記（１）式によって計算される。
【００７６】
【数１】
0006550896.tif 000002
【００７７】
なお、上記（１）式では、「μ」は、計算で求める劣化率であり、「μ０」は、初期劣化率、即ち、追加の際の劣化率を示す。なお、初期劣化率は、蓄電池の仕様等によって定まる。また、上記（１）式では、「ｔＳＯＣ」は、充電率ごとの経過時間を示し、シミュレーション結果に基づいて算出される値である。さらに、上記（１）式では、「ＮＤＯＤ」は、サイクル数を示し、シミュレーション結果に基づいて算出される値である。さらにまた、上記（１）式では、「ｋＳＯＣ」は、蓄電池の種類、特性、及び運用される温度等によって決まる蓄電池の保存による容量の劣化を示す劣化係数である。また、上記（１）式では、「ｋＤＯＤ」は、サイクルによる容量の劣化を示す劣化係数である。
【００７８】
上記（１）式では、「ｋＳＯＣ」及び「ｔＳＯＣ」に基づいて、経年劣化による劣化率を計算することができる。また、上記（１）式では、「ｋＤＯＤ」及び「ＮＤＯＤ」に基づいて、サイクルによる劣化率を計算することができる。
【００７９】
≪  実質容量の算出例（ステップＳ３０７）≫
ステップＳ３０７では、運用シミュレーション装置は、実質容量を算出する。例えば、「１年目」の実質容量は、図１７に示す容量パラメータテーブルＴａｂｌｅ６の「設置容量」に設定される値にあらかじめ設定される初期劣化率（上記（１）式の「μ０」）に基づいて、「設置容量」に（１−初期劣化率）を乗じて算出される。具体的には、初期劣化率が「６％」であると、実質容量は、「１０００×（１−０．０６）」によって算出される。「１年目」以外の各年では、それぞれの年ごとに上記（１）式によって計算される劣化率に基づいて、それぞれの年の実質容量がそれぞれ算出される。
【００８０】
≪  温度管理費の算出例（ステップＳ３０８）≫
ステップＳ３０８では、運用シミュレーション装置は、温度管理費を算出する。
【００８１】
図２２は、本発明の一実施形態における運用シミュレーション装置による温度管理費に係る算出結果の一例を示す表である。例えば、ステップＳ３０８で、運用シミュレーション装置によって算出される温度管理費の算出結果は、温度管理費結果テーブルＴａｂｌｅ１０に記憶される。図２２に示す温度管理費結果テーブルＴａｂｌｅ１０は、運用シミュレーションによって算出される温度管理費の算出結果の例を示す。具体的には、温度管理費結果テーブルＴａｂｌｅ１０では、「年」は、シミュレーションにおいて経過する時間を年で示し、「年」の値は、パラメータテーブルＴａｂｌｅ５（図１３参照）に示す「年」の値に対応する。
【００８２】
温度管理費結果テーブルＴａｂｌｅ１０では、「温度管理費」は、対応する「年」に設定される温度条件と、運用コストテーブルＴａｂｌｅ２（図１０参照）とに基づいて、年ごとにそれぞれ算出される。
【００８３】
≪  シミュレーションを終了するか否かの判断例（ステップＳ３０９）≫
図１９に戻り、ステップＳ３０９では、運用シミュレーション装置は、シミュレーションを終了するか否かを判断する。具体的には、図１７に示す容量パラメータテーブルＴａｂｌｅ６による設定によって、「１年目」乃至「１０年目」の１０年間を運用シミュレーション装置が年ごとにそれぞれシミュレーションする場合、運用シミュレーション装置は、１０年分のシミュレーションがすべて終了しているか否かで判断する。つまり、１０年分のシミュレーションが終了している場合、運用シミュレーション装置は、シミュレーションを終了すると判断する。一方、１０年分のシミュレーションが終了していない場合、運用シミュレーション装置は、シミュレーションを終了しないと判断する。
【００８４】
運用シミュレーション装置がシミュレーションを終了すると判断する場合（ステップＳ３０９でＹＥＳ）、運用シミュレーション装置は、図１９に示す処理を終了する。一方、運用シミュレーション装置がシミュレーションを終了しないと判断する場合（ステップＳ３０９でＮＯ）、運用シミュレーション装置は、ステップＳ３０１に進み、次の年について各処理を行う。
【００８５】
図２３は、本発明の一実施形態における運用シミュレーション装置によるシミュレーション結果の算出結果例を示す表である。図２３に示すシミュレーション結果テーブルＴａｂｌｅ８は、「日時」に図示するように、１０秒ごと算出された算出結果を示す。具体的には、図１９のステップＳ３０２で算出される発電電力Ｐｇ及び図１９のステップＳ３０３で算出される放電電力Ｐｂａｔは、ステップＳ３０９の繰り返しによって、「日時」ごとにそれぞれ算出される。図２３に図示するように、シミュレーション結果テーブルＴａｂｌｅ８には、１０年分のそれぞれの算出結果が「発電電力」及び「放電電力」にそれぞれ入力される。また、１０秒ごとに、出力電力Ｐｓｕｍ及び変動幅ΔＰｓｕｍがそれぞれ算出され（図１９のステップＳ３０４）、ステップＳ３０９の繰り返しによって、シミュレーション結果テーブルＴａｂｌｅ８には、１０年分の算出結果が「出力電力」及び「変動幅」にそれぞれ入力される。なお、シミュレーション結果テーブルＴａｂｌｅ８では、「放電電力」において、マイナスの値は、充電を示し、プラスの値は、放電を示す。
【００８６】
例えば、図２３に示すシミュレーション結果テーブルＴａｂｌｅ８では、「日時」が「１月１日００：００：００」である場合、図１２に示す電力テーブルＴａｂｌｅ４により、発電電力Ｐｇは、「４７３ｋＷ」である。これに対して、図２３に示すシミュレーション結果テーブルＴａｂｌｅ８では、放電電力Ｐｂａｔが「１２ｋＷ（放電）」であるため、出力電力Ｐｓｕｍは、「４７３ｋＷ＋１２ｋＷ＝４８５ｋＷ」と算出される（図１９のステップＳ３０４）。
【００８７】
同様に、「日時」が「１月１日００：００：１０」である場合、図１２に示す電力テーブルＴａｂｌｅ４により、発電電力Ｐｇは、「５２６ｋＷ」である。これに対して、図２３に示すシミュレーション結果テーブルＴａｂｌｅ８では、放電電力Ｐｂａｔが「−３５ｋＷ（充電）」であるため、出力電力Ｐｓｕｍは、「５２６ｋＷ＋（−３５ｋＷ）＝４９１ｋＷ」と算出される（図１９のステップＳ３０４）。
【００８８】
次に、「１月１日００：００：００」の出力電力Ｐｓｕｍが「４８５ｋＷ」であり、かつ、「１月１日００：００：１０」の出力電力Ｐｓｕｍが「４９１ｋＷ」であることから、これらを比較すると、「４９１ｋＷ−４８５ｋＷ＝６ｋＷ」であると、「１月１日００：００：００」から「１月１日００：００：１０」までの１０秒間の時間に対して、出力電力Ｐｓｕｍの変化量が求まる。
【００８９】
さらに、運用シミュレーション装置は、発電設備Ｓｉｍ２（図３参照）の定格出力１５００ｋＷに対する求めた変化量の割合を変動幅として算出する。具体的には、変化量が「６ｋＷ」である場合、変動幅は、「６ｋＷ÷１５００ｋＷ＝０．００４＝０．４％」と算出され、この算出結果は、図２３に示すシミュレーション結果テーブルＴａｂｌｅ８の「変動幅」に入力される（図１９のステップＳ３０４）。
【００９０】
図２４は、本発明の一実施形態における運用シミュレーション装置による蓄電池に係る算出結果の算出例を示す表である。図２４に示す蓄電池管理テーブルＴａｂｌｅ９は、「２０１４年」（「１年目」）に、「蓄電池ＩＤ」が「１１」、「１２」、及び「１３」の「３個」の蓄電池Ｓｉｍ１３（図３参照）が追加される設定の例である。また、図１６に示すように、「７年目」で「１個」の蓄電池を変更する設定は、「７年目」で「蓄電池ＩＤ」が「１１」の蓄電池を撤去し、「蓄電池ＩＤ」が「７１」の蓄電池を追加するように示す。さらに、図２４に示す蓄電池管理テーブルＴａｂｌｅ９には、シミュレーションによって、「充電率」及び「サイクル数」に算出結果がそれぞれ入力される（図１９のステップＳ３０５）。なお、図２４に示す蓄電池管理テーブルＴａｂｌｅ９は、１日ごと、算出結果をそれぞれ入力する例である。
【００９１】
図２５は、本発明の一実施形態における運用シミュレーション装置による温度管理費に係る算出結果の算出例を示す表である。図２５に示す温度管理費結果テーブルＴａｂｌｅ１０は、「１年目」乃至「１０年目」の１０年間のそれぞれの年ごとに温度管理費が算出される例である。例えば、温度管理費は、年ごとに１年間の光熱費から算出される。具体的には、図１６に示すパラメータテーブルＴａｂｌｅ５による設定である場合、各年の温度条件は、それぞれ「蓄電池温度設定」が「１」である。さらに、図１０に示す運用コストテーブルＴａｂｌｅ２が入力データとして入力される場合、「蓄電池温度設定」が「１」の温度条件である場合、温度管理費は、「８００千円／年」と特定できる。したがって、図２５に図示するように、「１年目」乃至「１０年目」の各温度管理費は、それぞれ「８００千円」と算出され、図２５で図示するように、温度管理費結果テーブルＴａｂｌｅ１０に記憶される。
【００９２】
≪  制約条件を満たすか否かの判断例（ステップＳ４０）≫
図４に戻り、ステップＳ４０では、運用シミュレーション装置は、制約条件を満たすか否かを判断する。具体的には、図９に示す条件入力テーブルＴａｂｌｅ１が入力された場合、制約条件は、「変動幅が１％以下」である。したがって、ステップＳ４０では、運用シミュレーション装置は、図２３に示すシミュレーション結果テーブルＴａｂｌｅ８の「変動幅」に入力される値が「１」以下であるか否かによって、制約条件を満たすか否かを判断する。即ち、シミュレーション結果テーブルＴａｂｌｅ８の「変動幅」に入力される値のうち、すべての値が「１」以下である場合、運用シミュレーション装置は、制約条件を満たすと判断する。一方、シミュレーション結果テーブルＴａｂｌｅ８の「変動幅」に入力される値のうち、いずれかの値が「１」より大きい値である場合、運用シミュレーション装置は、制約条件を満たさないと判断する。
【００９３】
運用シミュレーション装置が制約条件を満たすと判断すると（ステップＳ４０でＹＥＳ）、運用シミュレーション装置は、ステップＳ５０に進む。一方、運用シミュレーション装置が制約条件を満さないと判断すると（ステップＳ４０でＮＯ）、運用シミュレーション装置は、ステップＳ２０に進む。
【００９４】
なお、運用シミュレーション装置が制約条件を満さないと判断してステップＳ２０に進む場合（ステップＳ４０でＮＯ）、図１３に示すパラメータテーブルＴａｂｌｅ５に設定されるパラメータ等は、他の値に変更される。
【００９５】
≪  評価値の算出例（ステップＳ５０）≫
ステップＳ５０では、運用シミュレーション装置は、評価値を算出する。
【００９６】
図２６は、本発明の一実施形態における運用シミュレーション装置による評価値の一例を示す表である。例えば、評価値は、評価値テーブルＴａｂｌｅ１１に示す各値に基づいて算出される。具体的には、評価値テーブルＴａｂｌｅ１１では、「Ｎｏ」には、各評価値を特定する通し番号等を示す数値が入力される。また、「蓄電池ユニット追加パターン」には、シミュレーションにおいて、蓄電池を追加する時期及び追加する蓄電池の数量等を示す数値が入力される。さらに、「蓄電池ユニット撤去パターン」には、シミュレーションにおいて、蓄電池を撤去する時期及び撤去する蓄電池の数量等を示す数値が入力される。さらにまた、「蓄電池温度設定パターン」には、シミュレーションにおいて、各年の温度条件を特定する数値が入力される。また、「温度管理費合計」には、シミュレーションによって算出される各年の温度管理費を合計した数値が入力される。さらに、「設備費合計」には、シミュレーションによって算出される各年の設備費を合計した数値が入力される。さらにまた、「評価値」には、算出される「温度管理費合計」及び「設備費合計」を合算した数値が入力される。
【００９７】
図２７は、本発明の一実施形態における運用シミュレーション装置によるシミュレーションの運用パターンの一例を示す図である。例えば、図示するように、第１運用パターンＰ１と、第２運用パターンＰ２との２つの運用パターンを運用シミュレーション装置がそれぞれシミュレーションする例で説明する。
【００９８】
第１運用パターンＰ１及び第２運用パターンＰ２は、ともに図９に示す条件入力テーブルＴａｂｌｅ１による制約条件でシミュレーションが行われるとする。即ち、第１運用パターンＰ１及び第２運用パターンＰ２では、設置できる蓄電池は、それぞれ最大「４個」である制約とし、各蓄電池の設置容量は、それぞれ「２５０ｋＷｈ」で同一である。また、第１運用パターンＰ１及び第２運用パターンＰ２では、図１０に示す運用コストテーブルＴａｂｌｅ２、図１１に示す単価テーブルＴａｂｌｅ３、及び図１２に示す電力テーブルＴａｂｌｅ４が入力されるとする。即ち、電力データ及び入力データは、同一のデータを使用するため、制約条件及びコスト条件は同一であり、同一の温度条件であれば、各年でかかる温度管理費は、同一となる条件である。
【００９９】
第１運用パターンＰ１は、「１年目」（運用開始の際）に、蓄電池Ｂ１１、蓄電池Ｂ１２、及び蓄電池Ｂ１３の「３個」の蓄電池を追加し、さらに、「５年目」に、蓄電池Ｂ１４の「１個」の蓄電池を追加するパターンである。一方、第２運用パターンＰ２は、「１年目」に、蓄電池Ｂ２１、蓄電池Ｂ２２、蓄電池Ｂ２３、及び蓄電池Ｂ２４の「４個」の蓄電池を追加し、さらに、「７年目」に、蓄電池Ｂ２４の「１個」の蓄電池を撤去し、かつ、蓄電池Ｂ２５の「１個」の蓄電池を追加するパターンである。
【０１００】
また、第１運用パターンＰ１は、各年の温度条件を、図１０に示す運用コストテーブルＴａｂｌｅ２に入力されるパターンのうち、「３」のパターンとする。一方、第２運用パターンＰ２は、各年の温度条件を、図１０に示す運用コストテーブルＴａｂｌｅ２に入力されるパターンのうち、「１」のパターンとする。
【０１０１】
図２８は、本発明の一実施形態における運用シミュレーション装置による評価値の算出例を示す表である。図２８に示す評価値テーブルＴａｂｌｅ１１には、ステップＳ５０（図４参照）による評価値の算出結果が入力される。図２８で図示するように、評価値テーブルＴａｂｌｅ１１は、「Ｎｏ」が「１」のデータを図２７に示す第１運用パターンＰ１とし、「Ｎｏ」が「２」のデータを図２７に示す第２運用パターンＰ２とした例を示す。
【０１０２】
「蓄電池ユニット追加パターン」は、数値の各桁がそれぞれ各年に対応し、図２８では、１０年分を示すため、１０桁の数値でパターンが入力される。即ち、「Ｎｏ」が「１」では、「１年目」を示す左から１桁目の数値には、「３個」の蓄電池を追加することを示す「３」の数値が入力され、「５年目」を示す左から５桁目の数値には、「１個」の蓄電池を追加することを示す「１」の数値が入力される。同様に、「Ｎｏ」が「２」では、「１年目」を示す左から１桁目の数値には、「４個」の蓄電池を追加することを示す「４」の数値が入力され、「７年目」を示す左から７桁目の数値には、「１個」の蓄電池を追加することを示す「１」の数値が入力される。
【０１０３】
「蓄電池ユニット撤去パターン」は、数値の各桁がそれぞれ各年に対応し、図２８では、１０年分を示すため、１０桁の数値でパターンが入力される。即ち、「Ｎｏ」が「１」では、蓄電池の撤去は、行われないため、すべて「０」の数値が入力される。一方、「Ｎｏ」が「２」では、「７年目」を示す左から７桁目の数値には、「１個」の蓄電池を撤去することを示す「１」の数値が入力される。
【０１０４】
「蓄電池温度設定パターン」は、数値の各桁がそれぞれ各年に対応し、各桁の数値は、図１０に示す運用コストテーブルＴａｂｌｅ２の「蓄電池温度設定」に入力されるパターンのいずれかの値に対応する。図２８において、「Ｎｏ」が「１」では、すべて温度条件を「３０℃以下」とする「３」の数値が各桁にそれぞれ入力される。一方、「Ｎｏ」が「２」では、すべて温度条件を「１０℃以下」とする「１」の数値が各桁にそれぞれ入力される。
【０１０５】
「温度管理費合計」には、「蓄電池温度設定パターン」に入力される温度条件に対応して、１０年分のそれぞれの温度管理費を合計した数値が入力される。
【０１０６】
「設備費合計」には、「蓄電池ユニット追加パターン」及び「蓄電池ユニット撤去パターン」で示す蓄電池の変更にかかる１０年分のそれぞれの設備費を合計した数値が入力される。
【０１０７】
「評価値」には、「温度管理費合計」及び「設備費合計」を合算した数値が入力される。
【０１０８】
≪  評価を終了するか否かの判断例（ステップＳ６０）≫
図４に戻り、ステップＳ６０では、運用シミュレーション装置は、評価を終了するか否か判断する。即ち、運用シミュレーション装置は、パラメータ又はデータ等を変更して、すべてのパターンの評価値が算出されるまでステップＳ１０乃至ステップＳ５０の処理を繰り返す。したがって、ステップＳ６０では、すべての評価値が算出されていると、評価を終了すると判断する。なお、評価を終了すると判断する条件は、すべてのパターンによって評価値が算出された場合でもよいし、評価時間等によって定められてもよい。また、パラメータの設定にメタヒューリスティクス等の方法が用いられる場合、方法に適した評価を終了すると判断する条件が設定されてもよい。
【０１０９】
運用シミュレーション装置が評価を終了すると判断すると（ステップＳ６０でＹＥＳ）、運用シミュレーション装置は、ステップＳ７０に進む。一方、運用シミュレーション装置が評価を終了しないと判断すると（ステップＳ６０でＮＯ）、運用シミュレーション装置は、ステップＳ２０に進む。なお、運用シミュレーション装置が評価を終了しないと判断してステップＳ２０に進む場合（ステップＳ６０でＮＯ）、例えば、図１３に示すパラメータテーブルＴａｂｌｅ５に設定されるパラメータ等が他の値に変更される。
【０１１０】
≪  最適な容量の表示例（ステップＳ７０）≫
ステップＳ７０では、運用シミュレーション装置は、最適な容量を表示する。例えば、図２８に示す評価値テーブルＴａｂｌｅ１１ような算出結果となった場合、ステップＳ７０では、運用シミュレーション装置は、「評価値」が最も小さい値となる運用パターンを抽出し、表示する。具体的には、図２８に示す評価値テーブルＴａｂｌｅ１１では、「Ｎｏ」が「１」の運用パターンは、評価値が「１９２７５０」である。一方、「Ｎｏ」が「２」の運用パターンは、評価値が「２４１８２５」である。したがって、この場合、評価値が最も小さい値となる「Ｎｏ」が「１」の運用パターン（図２７の第１運用パターンＰ１に相当）が最適な容量であると抽出され、表示される。
【０１１１】
蓄電池は、運用が開始されると、時間経過に伴って、劣化するため、実質容量が減少していく。実質容量が減少していくと、蓄電池システムＳｉｍ１０（図３参照）による充電及び放電の能力が低下し、出力電力Ｐｓｕｍ（図３参照）の変動を少なくすることができなくなっていく場合がある。このため、運用では、劣化した蓄電池を撤去する及び劣化の少ない新しい蓄電池を追加する変更を行う必要がある。又は、運用期間中に、蓄電池の変更が必要ないように、運用開始の際に、十分な容量の蓄電池を追加するようにする必要がある。
【０１１２】
蓄電池の価格は、図１１に示す単価テーブルＴａｂｌｅ３のように、下がる傾向がある。また、図２７に示す第１運用パターンＰ１のように、「１０℃以下」等の蓄電池を運用する温度を低温にする温度条件であると、蓄電池の劣化を抑制することができる。同様に、充電率を低くするように運用すると、蓄電池の劣化を抑制することができる。さらに、サイクル数が少なくなるように運用すると、蓄電池の劣化を抑制することができる。
【０１１３】
図２９は、本発明の一実施形態における時間経過に伴う劣化率の変化の一例を示す図である。例えば、蓄電池の運用が開始されると、時間経過に伴って、劣化率は、グラフＧ１に示すように、初期劣化率である「μ０」から「μ１」となるまで増加していく。これに対して、蓄電池を運用する温度を低い温度とする温度条件にする、低い充電率で蓄電池を運用する、又はサイクル数が少なくなるように運用すると、グラフＧ２に示すように、時間経過に伴って劣化率が増加するのを抑制することができる。
【０１１４】
図２７に示す第１運用パターンＰ１と、第２運用パターンＰ２とを比較すると、第１運用パターンＰ１は、第２運用パターンＰ２より、蓄電池を運用する温度が高く設定されるため、第１運用パターンＰ１に使用される蓄電池は、第２運用パターンＰ２に使用される蓄電池より早く劣化する。したがって、第１運用パターンＰ１では、第２運用パターンＰ２における蓄電池の変更（「７年目」）より、早く（「５年目」）蓄電池を追加する必要がある運用パターンとなる。また、第１運用パターンＰ１は、運用を開始する際（「１年目」）に追加する蓄電池の数量が「３個」であるため、第２運用パターンＰ２より、運用を開始する際の設備費は、抑制することができるパターンである。さらに、第１運用パターンＰ１は、第２運用パターンＰ２より蓄電池を運用する温度が高く設定されるため、第２運用パターンＰ２より温度管理費も抑制することができるパターンである。
【０１１５】
一方、第２運用パターンＰ２は、第１運用パターンＰ１より、蓄電池を運用する温度が低く設定されるため、第２運用パターンＰ２に使用される蓄電池は、第２運用パターンＰ２に使用される蓄電池より、劣化が抑制できる。さらに、第２運用パターンＰ２は、運用を開始する際に追加する蓄電池の数量が「４個」であり、第１運用パターンＰ１と比較すると、運用を開始する際の設置容量が大きい。そのため、第２運用パターンＰ２は、第１運用パターンＰ１より、蓄電池を変更する時期を遅らせることができ、蓄電池の価格が下がることによって蓄電池の変更にかかる設備費を抑制できるパターンである。
【０１１６】
したがって、第１運用パターンＰ１及び第２運用パターンＰ２のように、パターンによって、運用にかかるコストは、蓄電池を変更する時期等によって変化する。これに対して、運用シミュレーション装置は、温度条件に基づく管理にかかる温度管理費及びコスト条件に基づいて計算される設備費から、制約条件を満たす運用にかかるコストを計算するため、発電機用の蓄電池設備のシミュレーションにおいて、精度良くコストを計算することができる。ゆえに、運用シミュレーション装置は、最適な容量を表示することができる。
【０１１７】
なお、本発明の一実施形態に係る各処理の全部又は一部は、機械語又はアセンブラ等の低水準言語、Ｃ言語、Ｊａｖａ（登録商標）、又はオブジェクト指向プログラミング言語等の高水準言語、若しくはこれらを組み合わせて記述されるコンピュータに実行させるためのプログラムによって実現されてもよい。即ち、プログラムは、運用シミュレーション装置等のコンピュータに各処理の全部又は一部を実行させるためのコンピュータプログラムである。
【０１１８】
また、プログラムは、ＲＯＭ又はＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等のコンピュータが読み取り可能な記録媒体に格納して頒布することができる。さらに、記録媒体は、ＥＰＲＯＭ（Ｅｒａｓａｂｌｅ  Ｐｒｏｇｒａｍｍａｂｌｅ  ＲＯＭ）、フラッシュメモリ、フレキシブルディスク、ＣＤ−ＲＯＭ、ＣＤ−ＲＷ、ＤＶＤ−ＲＯＭ、ＤＶＤ−ＲＡＭ、ＤＶＤ−ＲＷ、ブルーレイディスク、ＳＤ（登録商標）カード、又はＭＯ等でもよい。さらにまた、プログラムは、電気通信回線を通じて頒布することができる。
【０１１９】
さらに、本発明の一実施形態に係る各処理の全部又は一部は、運用シミュレーション装置を含む１以上の情報処理装置を有する運用シミュレーションシステムによって実現されてもよい。
【０１２０】
以上、本発明の好ましい実施例について詳述したが、本発明は、上述の実施形態に限定されず、特許請求の範囲に記載された本発明の要旨の範囲内において、種々の変形又は変更が可能である。
【符号の説明】
【０１２１】
１０  運用シミュレーション装置
Ｓｉｍ１  シミュレーションモデル
Ｓｉｍ２  発電設備
Ｓｉｍ１０  蓄電池システム
Ｓｉｍ１１  制御装置
Ｓｉｍ１２  インバータ
Ｓｉｍ１３  蓄電池
Ｐｇ  発電電力
Ｐｂａｔ  放電電力
Ｐｓｕｍ  出力電力
【図１】
0006550896.tif 000003
【図２】
0006550896.tif 000004
【図３】
0006550896.tif 000005
【図４】
0006550896.tif 000006
【図５】
0006550896.tif 000007
【図６】
0006550896.tif 000008
【図７】
0006550896.tif 000009
【図８】
0006550896.tif 000010
【図９】
0006550896.tif 000011
【図１０】
0006550896.tif 000012
【図１１】
0006550896.tif 000013
【図１２】
0006550896.tif 000014
【図１３】
0006550896.tif 000015
【図１４】
0006550896.tif 000016
【図１５】
0006550896.tif 000017
【図１６】
0006550896.tif 000018
【図１７】
0006550896.tif 000019
【図１８】
0006550896.tif 000020
【図１９】
0006550896.tif 000021
【図２０】
0006550896.tif 000022
【図２１】
0006550896.tif 000023
【図２２】
0006550896.tif 000024
【図２３】
0006550896.tif 000025
【図２４】
0006550896.tif 000026
【図２５】
0006550896.tif 000027
【図２６】
0006550896.tif 000028
【図２７】
0006550896.tif 000029
【図２８】
0006550896.tif 000030
【図２９】
0006550896.tif 000031